(57)【要約】【課題】化粧水を皺底まで簡単に到達させ、化粧水の栄養を皺底にも行き渡らせることにより、皮膚を活性化することができる美容器具を提供する。【解決手段】美容器具１０は、皮膚にできた皺を伸ばす皮膚伸ばし部２０と、皮膚伸ばし部２０を支持する器具本体３０とを備えている。皮膚伸ばし部２０は、皺の両側にそれぞれ当接して、皺を開く方向へ開いて皮膚を伸ばす一対の当接部２１と、一対の当接部２１の間で、一対の当接部２１が開くと、皺に当接する押圧部２２とを備えている。一対の当接部２１は、器具本体３０から延びる一対の腕部２１１と、腕部２１１の先端部に設けられたローラー２１２とにより形成されている。一対の当接部２１により開かれ、皺底が浅くなった皺に、押圧部２２が当接して、押圧するので、皮膚に塗布され、皺底まで届かなった化粧水を、押圧部２２により皺底に付着させることができる。【選択図】図１
2015217033.tif 000002
【特許請求の範囲】
【請求項１】
皮膚を伸ばす皮膚伸ばし部と、前記皮膚伸ばし部を支持する器具本体とを備え、
前記皮膚伸ばし部は、皮膚に当接して開く方向へ移動して皮膚を伸ばす一対の当接部と、
前記一対の当接部の間で、前記一対の当接部が開くと、皮膚に当接する押圧部とを備えたことを特徴とする美容器具。
【請求項２】
前記一対の当接部は、前記器具本体から延びる一対の腕部と、前記腕部の先端部に設けられたローラーとにより形成された請求項１記載の美容器具。
【請求項３】
前記押圧部は、前記一対の当接部が開くと、前記器具本体から皮膚への当接方向へ進出する請求項１または２記載の美容器具。
【請求項４】
前記器具本体に、微弱電流発生手段が格納されていると共に、利用者が把持したときに該利用者に接触する一方の電極が設けられ、
前記微弱電流発生手段は、前記一方の電極と、他方の電極として前記押圧部とに接続され、前記一対の電極に微弱電流を通電させる請求項１から３のいずれかの項に記載の美容器具。
【請求項５】
前記器具本体に、電気刺激発生手段が格納され、
前記電気刺激発生手段は、導電性を有する前記一対の当接部に微弱電流を通電させる請求項１から３のいずれかの項に記載の美容器具。
【請求項６】
前記器具本体に、熱発生手段が格納され、
前記熱発生手段は、前記押圧部に発生した熱を伝達する請求項１から３のいずれかの項に記載の美容器具。
【請求項７】
前記器具本体に、振動発生手段が格納され、
前記振動発生手段は、前記押圧部に振動を伝達する請求項１から３のいずれかの項に記載の美容器具。
【発明の詳細な説明】
【技術分野】
【０００１】
本発明は、皮膚の健康状態を向上させることができる美容器具に関するものである。
【背景技術】
【０００２】
皺は加齢により増えたり、紫外線による影響を受けて増えたりする。皺が多いと老けて見えるため、実年齢より若く見られたいと思う者にとっては、皺を取り除きたいという要望は強い。このような要望から、皺を引き伸ばす器具が開発されている（例えば、特許文献１，２参照。）。
【０００３】
特許文献１に記載の「美容装置」は、円筒形の本体先端部に、２つのＴ字型電極が設けられ、長い方の電極でしわやたるみを伸ばして引き上げ、短い方の電極で伸ばして引き上げた部分を固定すると同時に、２つ電極間に微弱電流を通電させるものである。
また、特許文献２に記載の「皮膚のシワ取り用具」は、スポンジ様部材の皮膚に対向する面上に、シワを挟んで皮膚に貼付し得る少なくとも１対の粘着剤層が形成されたものである。
【先行技術文献】
【特許文献】
【０００４】
【特許文献１】特開２０１３−２３６６８８号公報
【特許文献２】実用新案登録第３１５７９４３号公報
【発明の概要】
【発明が解決しようとする課題】
【０００５】
皮膚の保湿性の向上や皮膚の引き締め効果を図るために、顔や全身にローション等の化粧水が塗布される。しかし、化粧水を塗布したときに、化粧水が皮膚表面に塗布されるだけで、皺の奥底に到達させることは難しい。
特許文献１，２に記載の従来の美容器具では、単に皺の両側に位置する皮膚を引き伸ばすだけであるため、化粧水を皺底に到達させるには、上記従来の美容器具により、皮膚を引き伸ばした状態を維持しながら、化粧水を塗布する必要があり、従来の美容器具の真下に位置する皺に化粧水を塗布するのは、作業が煩雑である。
【０００６】
そこで本発明は、化粧水を皺底まで簡単に到達させ、化粧水の栄養を皺底にも行き渡らせることにより、皮膚を活性化することができる美容器具を提供することを目的とする。
【課題を解決するための手段】
【０００７】
本発明の美容器具は、皮膚を伸ばす皮膚伸ばし部と、前記皮膚伸ばし部を支持する器具本体とを備え、前記皮膚伸ばし部は、皮膚に当接して開く方向へ開いて伸ばす一対の当接部と、前記一対の当接部の間で、前記一対の当接部が開くと、皮膚に当接する押圧部とを備えたことを特徴とする。
【０００８】
本発明の美容器具によれば、一対の当接部により皮膚が伸ばされ、皺底が浅くなった皺に、押圧部が当接して、押圧するので、皮膚に塗布され、皺底まで届かなった化粧水を、押圧部により皺底に付着させることができる。従って、本発明の美容器具は、化粧水の栄養を皺底にも行き渡らせることができる。
【０００９】
前記一対の当接部は、前記器具本体から延びる一対の腕部と、前記腕部の先端部に設けられたローラーとにより形成されていることが望ましい。皮膚を引き伸ばす際に、一対の腕部の先端部に設けられたローラーが回転しながら、腕部が開くため、皺を引き伸ばす力を適度に調整することができる。
【００１０】
前記押圧部を、前記一対の当接部が開くと、前記器具本体から皮膚への当接方向へ進出するようにすると、当接部が大きく開かなくても、小さい開きにより押圧部を皺に当接させることができる。
【００１１】
前記器具本体に、微弱電流発生手段が格納されていると共に、利用者が把持したときに該利用者に接触する一方の電極が設けられ、前記微弱電流発生手段は、前記一方の電極と、他方の電極として前記押圧部とに接続され、前記一対の電極に微弱電流を通電させるようにすることが望ましい。そうすることで、化粧水を付着させた状態の皺底に、押圧部を介して微弱電流を通電することができるので、より効果的に化粧水を皮膚内に浸透させることができる。
【００１２】
前記器具本体に、電気刺激発生手段が格納され、前記電気刺激発生手段は、導電性を有する前記一対の当接部に微弱電流を通電させるようにすることが望ましい。電気刺激発生手段により発生した微弱電流は、一対の当接部を介して皺底に付与される。従って、この構成によれば、引き伸ばされた皺底に、化粧水を塗布すると共に、微弱電流による電気刺激を付与することができるので、効果的に皮膚を活性化することができる。
【００１３】
前記器具本体に、熱発生手段が格納され、前記熱発生手段は、前記押圧部に発生した熱を伝達するようにすることが望ましい。熱発生手段により発生した熱は、押圧部を介して皺底に付与される。従って、この構成によれば、引き伸ばされた皺底に、化粧水を塗布すると共に、熱による刺激を付与することができるので、効果的に皮膚を活性化することができる。
【００１４】
前記器具本体に、振動発生手段が格納され、前記振動発生手段は、前記押圧部に振動を伝達するようにすることが望ましい。振動発生手段により発生した振動は、押圧部を介して皺底に付与される。従って、この構成によれば、引き伸ばされた皺底に、化粧水を塗布すると共に、振動による刺激を付与することができるので、効果的に皮膚を活性化することができる。
【発明の効果】
【００１５】
本発明の美容器具は、皺底まで届かなった化粧水を、押圧部により皺底に付着させることができるので、化粧水の栄養を皺底にも行き渡らせることができる。従って、本発明の美容器具は、化粧水を皺底まで簡単に到達させ、化粧水の栄養を皺底にも行き渡らせることにより、皮膚を活性化することができる。
【図面の簡単な説明】
【００１６】
【図１】本発明の実施の形態１に係る美容器具を示す斜視図である。
【図２】図１に示す美容器具を上方から見た斜視図である。
【図３】図１に示す美容器具の上部の断面斜視図である。
【図４】図１に示す美容器具のイオン導入手段および皮膚状態測定手段を説明するための概略断面図である
【図５】実施の形態１に係る美容器具の使用状況を説明するための図であり、（Ａ）は化粧水が塗布された状態の皮膚の断面図、（Ｂ）は引き伸ばされた皺に化粧水が塗布された状態の図である。
【図６】図１に示す美容器具の使用状態を説明するための図であり、（Ａ）は皮膚伸ばし部が皮膚に当接した状態の図、（Ｂ）は皮膚伸ばし部の当接部が開いて押圧部が皺に当接した状態の図である。
【図７】本発明の実施の形態２に係る美容器具を示す概略断面図である。
【図８】本発明の実施の形態３に係る美容器具を示す概略断面図である。
【図９】本発明の実施の形態４に係る美容器具を示す概略断面図である。
【図１０】本発明の実施の形態５に係る美容器具を示す図であり、（Ａ）は当接部が皮膚に接した状態の正面図、（Ｂ）は当接部が開いた状態の概略断面図である。
【発明を実施するための形態】
【００１７】
（実施の形態１）
本発明の実施の形態１に係る美容器具について図面に基づいて説明する。
図１から図４に示すように、美容器具１０は、皮膚を伸ばす皮膚伸ばし部２０と、皮膚伸ばし部２０を支持する器具本体３０と、器具本体３０に内蔵されたイオン導入手段４０および皮膚状態測定手段５０とを備えている。
【００１８】
皮膚伸ばし部２０は、皮膚に当接して開く方向へ移動して皮膚を伸ばす一対の当接部２１と、一対の当接部２１の間で、一対の当接部２１が開くと、皮膚に当接する押圧部２２とを備えている。
一対の当接部２１は、器具本体３０から延びる一対の腕部２１１と、腕部２１１の先端部に設けられたローラー２１２とにより形成されている。
図３に示すように、腕部２１１の基端部２１１ａには、弾性部材の一例であるコイルばね２１１ｂの一端部が付勢した状態で接続されている。腕部２１１の先端部２１１ｃは、ローラー２１２の両端部の軸部を保持するコ字状の回転軸受部である。腕部２１１の先端部２１１ｃには、ローラー２１２を摩擦によって回転し難くするブレーキ機構が内蔵されている。ローラー２１２は、円柱状のローラー本体の円周面に、シリコーン樹脂によるカバー部材が取り付けられている。一対の当接部２１は、電極として機能するために導電性を有している。
【００１９】
押圧部２２は、先端部が凸曲面に形成された板状の部材である。本実施の形態１では、押圧部２２が、イオン導入手段４０の一方の電極として機能するため、導体である金属部材により形成されている。押圧部２２は、金属部材とする以外に、導電性ゴムなど導電性を有する部材とすることができる。押圧部２２は、その側部が、一対の当接部２１と接触して導通することを防止するために、絶縁シートなどにより、一対の当接部２１と電気的に絶縁されている。
【００２０】
器具本体３０は、円柱状に形成されたケーシングである。器具本体３０の上面には、腕部２１１を開いたり、閉じたりさせるためと、押圧部２２を器具本体３０内部から突出させるために、十字状の開口部３１が形成されている。また、器具本体３０の底面には、図示しない電池を収納するための蓋部が形成されている。器具本体３０は、コイルばね２１１ｂの他端部が、器具本体３０の天井壁から内側に向かって突出した突起板３２に接続されている。
【００２１】
図４に示すように、イオン導入手段４０は、器具本体３０に内蔵され、回路が搭載されたプリント基板により形成された微弱電流発生手段４１を備えている。微弱電流発生手段４１は、器具本体３０の胴部に設けられ、利用者が把持したときに該利用者に接触する一方の電極（側面電極４２）に、配線４３により接続されている。また、微弱電流発生手段４１は、押圧部２２を他方の電極（押圧電極４４）として、配線４５により接続されている。
微弱電流発生手段４１は、皮膚状態を示す信号に応じて、微弱電流の強度を調整することができる。
【００２２】
皮膚状態測定手段５０は、一対の当接部２１を一対の電極として、皮膚を介して電流を通電して、一対の当接部２１間の電圧を測定して、皮膚の抵抗値を測定することで、皮膚の状態を測定するものである。皮膚状態測定手段５０は、測定された皮膚の抵抗値を示す信号を微弱電流発生手段４１へ出力する。
【００２３】
以上のように構成された本発明の実施の形態１に係る美容器具１０の動作および使用状態を図面に基づいて説明する。
利用者は、予め化粧水を顔などの皮膚Ｓに塗布しておく。しかし、図５（Ａ）に示すように、化粧水Ｌは、溝となった皺Ｗの周囲や皺Ｗの縁部付近には塗布されるが、皺底ＷＢには、塗布し難い。
利用者は、図６（Ａ）に示すように、美容器具１０の器具本体３０を、側面電極４２に手のひらが接触するように把持する。次に、利用者は、当接部２１のローラー２１２を、例えば、気になる顔の皺Ｗが一対のローラー２１２の間に位置するようにして、皮膚Ｓに当接させる。
【００２４】
そして、利用者は、腕部２１１の基端部２１１ａに接続しているコイルばね２１１ｂの付勢力より強く、美容器具１０を皮膚Ｓに押し当てることで、図６（Ｂ）に示すように、当接部２１のローラー２１２が互いに離れる方向に開く。当接部２１のローラー２１２は、それぞれの腕部２１１に内蔵されたブレーキ機構により回転し難くなっているため、ローラー２１２は、僅かに回転しながら皮膚を押し付けて、皮膚を引き伸ばす。
【００２５】
これにより、当初は、皺Ｗが深く、化粧水Ｌが皺底ＷＢに到達しない状態であっても、一対のローラー２１２が皺Ｗを引き伸ばすことで、図５（Ｂ）に示すように、皺底ＷＢが浅くなり、皺Ｗ周囲の化粧水を押圧部２２に付着させ、皺底ＷＢに押し込むことで、皺底ＷＢに化粧水Ｌが塗布される。また、化粧水Ｌが塗布された皺底ＷＢを押圧部２２が押圧するため、化粧水Ｌを皮膚Ｓ内に浸透させることができる。
【００２６】
このように、美容器具１０は、化粧水Ｌを一対の当接部２１によって引き伸ばされた皺底ＷＢまで簡単に到達させ、化粧水Ｌの栄養を皺底ＷＢにも行き渡らせることができるので、皮膚を活性化することができる。
また、図６（Ａ）および同図（Ｂ）に示すように、皮膚Ｓを引き伸ばす際に、一対の腕部２１１の先端部に設けられたローラー２１２が回転しながら、腕部２１１が開くため、皺Ｗを引き伸ばす力を適度に調整することができる。従って、ローラー２１２は皮膚への負担を軽減することができる。
【００２７】
図４に示すように、利用者が器具本体３０に設けられた側面電極４２を把持して、側面電極４２が利用者に接触すると共に、押圧部２２を皮膚に押し当てて、押圧部２２が利用者に接触することで、微弱電流発生手段４１から、側面電極４２、利用者の手、腕、肩、首、顔、押圧電極４４（押圧部２２）、微弱電流発生手段４１へと回路が形成される。
このように、微弱電流発生手段４１が発生した微弱電流は、この流れ、またはこの反対の流れで通電するので、押圧電極４４から皺底ＷＢに電気刺激を付与することができるので、より効果的に化粧水を皮膚内に浸透させることができる。従って、美容器具１０は、更に、皮膚を活性化することができる。
【００２８】
美容器具１０は、利用者が把持して皮膚に押圧部２２を接触することで、美容器具１０および利用者との間に回路ができ、微弱電流を通電しているが、電源スイッチを設けることも可能である。また、美容器具１０は、利用者に通電する微弱電流の強弱を選択するスイッチを設けることも可能である。更に、微弱電流発生手段４１が微弱電流を通電していて、利用者の皮膚にイオン導入していることを利用者に認知させるために、ランプを設けたり、ブザー音やチャイム音などを発生する音声発生手段を設けたり、振動を発生する振動発生手段を設けたりすることも可能である。
【００２９】
ここで、皮膚状態測定手段５０は、一対の当接部２１に電流を通電して、一対の当接部２１間の電圧を測定して、皮膚の抵抗値を測定する。そして、皮膚状態測定手段５０は、測定された皮膚の抵抗値を示す信号を微弱電流発生手段４１へ出力する。微弱電流発生手段４１は、皮膚状態測定手段５０に基づいて微弱電流を調整する。例えば、利用者の皮膚の抵抗値が高いときには、皮膚が乾燥状態であり、微弱電流が通電しにくい状態であるため、微弱電流発生手段４１は高めの微弱電流を通電する。
このように、微弱電流発生手段４１が皮膚状態測定手段５０からの皮膚の状態を示す信号に基づいて微弱電流を調整するので、利用者の皮膚の状態に応じた美容を行うことができる。
なお、皮膚状態測定手段５０は常に皮膚の状態を測定する必要はなく、最初の１回だけ行うことも可能である。また、皮膚状態測定手段５０を有効としたり、無効としたりする切り替えスイッチを、器具本体３０に設けることも可能である。また、皮膚状態測定手段５０に無関係に、微弱電流の強弱を選択するスイッチにより微弱電流発生手段４１からの出力を決定することも可能である。
【００３０】
（実施の形態２）
本発明の実施の形態２に係る美容器具を図面に基づいて説明する。なお、本実施の形態２においては、皮膚伸ばし部２０および器具本体３０は、実施の形態１に係る美容器具１０と同じ構成であるため、同符号を付して説明を省略する。
図７に示す本実施の形態２に係る美容器具１０ｘは、器具本体３０に熱発生手段６０が格納されている。熱発生手段６０は伝熱部材６１が押圧部２２に接続されており、熱発生手段６０が発生した熱を押圧部２２へ伝達する。
従って、押圧部２２は、通電されないため絶縁体でもよいが、金属製とする方が、樹脂製とするよりも、熱伝導率が高く効率がよいため望ましい。
熱発生手段６０は、皮膚を温める温熱を発生する加熱手段とすることができ、皮膚を冷やす冷熱を発生する冷却手段とすることもできる。また、熱発生手段６０が、温熱および冷熱の両方を発生する機能を備えているときには、器具本体３０に設けた切り替えスイッチにより加熱と冷却とを切り替えるようにしてもよい。
【００３１】
このように、熱発生手段６０は、発生した熱を押圧部２２へ伝達して、一対の当接部２１によって引き伸ばされた皺底に付与することができる。従って、美容器具１０は、引き伸ばされた皺底に、化粧水を塗布すると共に、熱による刺激を付与することができるので、効果的に皮膚を活性化することができる。
【００３２】
（実施の形態３）
本発明の実施の形態３に係る美容器具を図面に基づいて説明する。なお、本実施の形態３においても、皮膚伸ばし部２０および器具本体３０は、実施の形態１に係る美容器具１０と同じ構成であるため、同符号を付して説明を省略する。
図８に示す本実施の形態３に係る美容器具１０ｙは、器具本体３０に振動発生手段７０が格納されている。振動発生手段７０は伝達部材７１が押圧部２２に接続されており、振動発生手段７０が発生した振動を押圧部２２へ伝達する。従って、押圧部２２は、絶縁体でも導電性でもよいため、金属製でも樹脂製でもよい。
振動発生手段７０は、回転駆動するモータと、このモータの回転軸に偏心させて取り付けた錘とを備えた振動モータとすることができる。
【００３３】
このように、振動発生手段７０は、発生した振動を押圧部２２へ伝達して、一対の当接部２１によって引き伸ばされた皺底に付与することができる。従って、美容器具１０は、引き伸ばされた皺底に、化粧水を塗布すると共に、振動による刺激を付与することができるので、効果的に皮膚を活性化することができる。
【００３４】
（実施の形態４）
本発明の実施の形態４に係る美容器具を図面に基づいて説明する。なお、本実施の形態４においても、皮膚伸ばし部２０および器具本体３０は、実施の形態１に係る美容器具１０と同じ構成であるため、同符号を付して説明を省略する。
図９に示す本実施の形態４に係る美容器具１０ｚは、器具本体３０に電気刺激発生手段８０が格納されている。電気刺激発生手段８０は、一対の当接部２１を一対の電極として、皮膚を介して電流を通電して、皮膚に電気刺激を付与するものである。
【００３５】
このように、電気刺激発生手段８０は、発生した微弱電流を一対の当接部２１を介して、一対の当接部２１によって引き伸ばされた皺底に付与することができる。従って、美容器具１０ｚは、引き伸ばされた皺底に、化粧水を塗布すると共に、微弱電流による電気刺激を付与することができるので、更に、効果的に皮膚を活性化することができる。
【００３６】
（実施の形態５）
本発明の実施の形態５に係る美容器具を図面に基づいて説明する。なお、図１０（Ａ）および同図（Ｂ）に示す本実施の形態５に係る美容器具１１においては、実施の形態１〜４に係る美容器具１０，１０ｘ〜１０ｚと同じ構成のものは、同符号を付して説明を省略する。また、図１０（Ｂ）においては、実施の形態１の微弱電流発生手段４１、皮膚状態測定手段、実施の形態２の熱発生手段６０、実施の形態３の振動発生手段７０、実施の形態４の電気刺激発生手段８０などは省略している。
【００３７】
本実施の形態１〜４に係る美容器具１０，１０ｘ〜１０ｚでは、コイルばね２１１ｂ（例えば、図６参照）により腕部２１１に弾性力を付与しているが、本実施の形態５に係る美容器具では、腕部自体の弾性力により、当接部の開閉に弾性力を持たせている。また、本実施の形態５に係る美容器具では、一対の当接部が開くと、押圧部が、器具本体から当接方向へ進出する。
【００３８】
図１０（Ａ）および同図（Ｂ）に示す美容器具１１は、一対の当接部２１ｐの腕部２１１ｐが、弾力性を有する樹脂により形成されている。腕部２１１ｐは、基端部２１１ａが、押圧部２２の基端部に固定されている。押圧部２２は、器具本体３０から当接方向に進出したり、復帰したり、スライド自在に、図示しない機構により保持されている。
【００３９】
従って、利用者は、図１０（Ａ）に示すように、美容器具１１を皮膚Ｓに押し当てることで、図１０（Ｂ）に示すように、腕部２１１ｐが弾性変形して撓むことで、当接部２１ｐのローラー２１２が互いに離れる方向に開く。腕部２１１ｐが撓み、ローラー２１２が互いに離れる方向に開くことで、腕部２１１ｐの基端部２１１ａが器具本体３０から引き出される。
【００４０】
腕部２１１ｐの基端部２１１ａが器具本体３０から引き出されることで、押圧部２２が器具本体３０から引き出されて、器具本体３０から皮膚Ｓへの当接方向に進出する。
押圧部２２が皮膚Ｓへの当接方向に進出することにより、当接部が大きく開かなくても、小さい開きにより押圧部２２を皺に当接させることができる。
【００４１】
以上、本実施の形態１〜５に係る美容器具を説明したが、本発明は実施の形態１〜５に限定されるものではない。例えば、実施の形態１〜５に係る美容器具１０，１０ｘ〜１０ｚ，１１では、当接部２１がローラー２１２であったが、一対のプレートであってもよい。当接部２１を一対のプレートとするときには、腕部２１１に対してプレートの角度が変わるようにすると、曲面である皮膚にプレートの平面を対応させて接触させることができる。
【００４２】
また、腕部２１１に内蔵されたブレーキ機構により、両方のローラー２１２を回転し難くしているが、一方のローラー２１２を、他方のローラー２１２より、回転の負荷を高めて回転し難く、または回転させないようにすることができる。
そうすることで、利用者は、一方のローラー２１２を皺の片側に位置させて、この位置を基準とし、器具本体３０を皮膚側に押し付けることで、一方のローラー２１２は移動せずに、他方のローラー２１２が、一方のローラー２１２から離れるようにして皺を伸ばし、押圧部２２を皺に当接させることができる。
従って、一方のローラー２１２を基準に、押圧部２２を皺の位置に設定できるため、正確に押圧部２２を皺に位置させることができる。
【産業上の利用可能性】
【００４３】
本発明の美容器具は、簡単に皺を伸ばすことができ、皺底に化粧水を塗布することができるので、家庭用、エステサロンや美容室などの業務用、医療機関などの医療用に適用することができる。
【符号の説明】
【００４４】
１０，１０ｘ，１０ｙ，１０ｚ  美容器具
２０  皮膚伸ばし部
２１，２１ｐ  当接部
２１１  腕部
２１１ｐ  腕部
２１１ａ  基端部
２１１ｂ  コイルばね
２１１ｃ  先端部
２１２  ローラー
２２  押圧部
３０  器具本体
３１  開口部
３２  突起板
４０  イオン導入手段
４１  微弱電流発生手段
４２  側面電極
４３  配線
４４  押圧電極
４５  配線
５０  皮膚状態測定手段
６０  熱発生手段
６１  伝熱部材
７０  振動発生手段
７１  伝達部材
８０  電気刺激発生手段
Ｓ  皮膚
Ｗ  皺
ＷＢ  皺底
Ｌ  化粧水
【図１】
2015217033.tif 000003
【図２】
2015217033.tif 000004
【図３】
2015217033.tif 000005
【図４】
2015217033.tif 000006
【図５】
2015217033.tif 000007
【図６】
2015217033.tif 000008
【図７】
2015217033.tif 000009
【図８】
2015217033.tif 000010
【図９】
2015217033.tif 000011
【図１０】
2015217033.tif 000012